(57)【要約】【課題】投影側のリモコン受光部への赤外線が無効に設定されている場合に、リモコンで非投影側のリモコン受光部へ赤外線を出力したときに、仮に投影側のリモコン受光部にも赤外線が受光された場合、非投影側のリモコン受光部に受光される赤外線に基づいて電源をオンにすることができる画像投影装置を提供する。【解決手段】リモコン４から出力された赤外線（電源オン指示信号）が第２リモコン受光部６に入力されたと判定したとき、及びリモコン４から出力された赤外線（電源オン指示信号）が第１、第２リモコン受光部５，６の両方に入力されたと判定し、更に第２リモコン受光部６の方が第１リモコン受光部５側よりも赤外線強度が大きいと判定したときに、リモコン４から出力される赤外線（電源オン指示信号）に基づいて、画像投影装置１を電源オンにする。【選択図】図４
2017026758.tif 000002
【特許請求の範囲】
【請求項１】
投影部の投影レンズから画像光を被投影面に投影する画像投影装置において、
画像光の投影側に設けられ、リモートコントローラから出力される光による電源オン指示信号を入力する第１の光信号入力部と、
画像光の非投影側に設けられ、リモートコントローラから出力される光による電源オン指示信号を入力する第２の光信号入力部と、
前記リモートコントローラから出力された光が前記第１の光信号入力部又は／及び前記第２の光信号入力部に入力されたかを判定し、更に前記第１、第２の光信号入力部の両方に前記リモートコントローラから出力された光が入力されたと判定されたときは、どちら側に入力された光の強度が大きいかを判定する判定部と、
前記判定部が、前記リモートコントローラから出力された光が前記第２の光信号入力部に入力されたと判定したとき、及び前記リモートコントローラから出力された光が前記第１、第２の光信号入力部の両方に入力されたと判定し、更に前記第２の光信号入力部の方が前記第１の光信号入力部側よりも光強度が大きいと判定したときに、前記判定部から入力されるこれらの判定情報により、前記リモートコントローラから出力される光による前記電源オン指示信号に基づいて、前記画像投影装置を電源オンにする制御を行う制御部とを有することを特徴とする画像投影装置。
【請求項２】
非投影側に位置する前記リモートコントローラから前記第２の光信号入力部へ向けて光による前記電源オン指示信号を出力したときに、前記第２の光信号入力部には、前記リモートコントローラからの光による前記電源オン指示信号が直接入力され、前記第１の光信号入力部には、前記リモートコントローラからの光による前記電源オン指示信号が投影側にある前記被投影面に反射して、その反射光が入力され、
前記判定部は、前記第２の光信号入力部に直接入力される前記リモートコントローラからの光による前記電源オン指示信号の光強度と、前記第１の光信号入力部に前記被投影面からの反射光として入力される前記リモートコントローラからの光による前記電源オン指示信号の光強度とを比較判定することを特徴とする請求項１に記載の画像投影装置。
【請求項３】
前記第１の光信号入力部に対しては、前記リモートコントローラから入力される光による前記電源オン指示信号を有効又は無効にするかを設定するとともに、前記第２の光信号入力部に対しては、前記リモートコントローラから入力される光による前記電源オン指示信号を常に有効に設定する機能を有し、
前記機能が有効に設定されている場合、前記制御部は、前記第１の光信号入力部に前記リモートコントローラから光による前記電源オン指示信号が入力されても、前記第１の光信号入力部への該電源オン指示信号を無効にすることを特徴とする請求項１又は２に記載の画像投影装置。
【発明の詳細な説明】
【技術分野】
【０００１】
本発明は、画像投影装置に関する。
【背景技術】
【０００２】
光源装置から出射される光（画像光）をスクリーンなどに投影する投影型のプロジェクタは、光源装置から投影レンズを通して高輝度の光（画像光）が出射されている。このため、プロジェクタを床等に置いて使用する際に、幼児等が、誤ってプロジェクタの電源スイッチを押してプロジェクタの電源が入り、投影レンズを通して出射された光（画像光）を直接目に受けてしまう安全上の問題が指摘されている。
【０００３】
上記のような安全上の問題に対処するために、いわゆるチャイルドロック設定が行われている場合、例えば電源スイッチを通常よりも長押ししないと電源が入らない構成のプロジェクタは、従来より提案されている。また、プロジェクタの電源のオン／オフ操作や各種の操作は、装置本体側のスイッチ操作だけでなく、付属のリモコンからのスイッチ操作による赤外線送信によっても可能である。
【０００４】
ところで、このようなチャイルドロック設定時に電源スイッチを長押ししないと電源が入らないプロジェクタだと、幼児等がプロジェクタの画像光投影側（前面側）周囲にいない状況にもかかわらずチャイルドロックが設定されている場合、リモコン操作による電源起動ができずに使い勝手が悪くなってしまう。
【０００５】
このような使い勝手の悪さを解消するために、リモコンからの赤外線を受信するリモコン受光部をプロジェクタの画像光投影側と非投影側（背面側）にそれぞれ設けて、画像光投影側のリモコン受光部への赤外線による電源オン指示信号の有効/無効を切り換え設定できる機能を備えたプロジェクタが提案されている（例えば、特許文献１）。
【０００６】
特許文献１に記載のプロジェクタによれば、幼児等がプロジェクタの画像光投影側周囲にいない状況では画像光投影側のリモコン受光部への赤外線による電源オン指示信号を有効に設定し、幼児等がプロジェクタの画像光投影側周囲にいる状況では画像光投影側のリモコン受光部への赤外線による電源オン指示信号を無効に設定することで、状況に応じてチャイルドロック機能と画像光投影側入力機能とを使い分けることができる。
【０００７】
なお、特許文献１に記載のプロジェクタでは、プロジェクタの非投影側である背面側からリモコンで、非投影側（背面側）のリモコン受光部へ向けて赤外線による電源オン指示信号を送信した場合、リモコン操作者がプロジェクタの非投影側である背面側にいて周囲の状況を把握しているということで、チャイルドロック設定の有無にかかわらず入力された電源オン指示信号は有効であり、電源が投入されて画像光が前方のスクリーンに投影される。
【発明の概要】
【発明が解決しようとする課題】
【０００８】
ところで、特許文献１に記載のプロジェクタでは、プロジェクタの非投影側である背面側からリモコンで、非投影側（背面側）のリモコン受光部へ向けて赤外線による電源オン指示信号を送信した場合、この赤外線の一部はプロジェクタの前方側のスクリーンまで届き、更にスクリーンで反射したこの反射光の一部は、プロジェクタの画像光投影側（前面側）のリモコン受光部に入射する。
【０００９】
これによって、プロジェクタの非投影側である背面側からリモコンで、非投影側（背面側）のリモコン受光部へ向けて赤外線による電源オン指示信号を送信したときに、非投影側（背面側）のリモコン受光部と画像光投影側（前面側）のリモコン受光部の両方に赤外線による電源オン指示信号が入力されることになる。
【００１０】
このため、上記したチャイルドロックが設定されている場合、リモコンで非投影側（背面側）のリモコン受光部へ向けて赤外線による電源オン指示信号を送信しても、画像光投影側（前面側）のリモコン受光部へ入力された電源オン指示信号が無効にされることによって、リモコン操作による電源起動ができず、使い勝手が悪くなってしまう。
【００１１】
そこで、本発明は、投影側のリモコン受光部への赤外線（電源オン指示信号）が無効に設定されている場合に、リモコンで非投影側のリモコン受光部へ赤外線（電源オン指示信号）を出力したときに、仮に投影側のリモコン受光部にも赤外線（電源オン指示信号）が受光された場合、非投影側のリモコン受光部に受光される赤外線に基づいて電源をオンにすることができる画像投影装置を提供することを目的とする。
【課題を解決するための手段】
【００１２】
前記目的を達成するために本発明に係る画像投影装置は、投影部の投影レンズから画像光を被投影面に投影する画像投影装置において、画像光の投影側に設けられ、リモートコントローラから出力される光による電源オン指示信号を入力する第１の光信号入力部と、画像光の非投影側に設けられ、リモートコントローラから出力される光による電源オン指示信号を入力する第２の光信号入力部と、前記リモートコントローラから出力された光が前記第１の光信号入力部又は／及び前記第２の光信号入力部に入力されたかを判定し、更に前記第１、第２の光信号入力部の両方に前記リモートコントローラから出力された光が入力されたと判定されたときは、どちら側に入力された光の強度が大きいかを判定する判定部と、前記判定部が、前記リモートコントローラから出力された光が前記第２の光信号入力部に入力されたと判定したとき、及び前記リモートコントローラから出力された光が前記第１、第２の光信号入力部の両方に入力されたと判定し、更に前記第２の光信号入力部の方が前記第１の光信号入力部側よりも光強度が大きいと判定したときに、前記判定部から入力されるこれらの判定情報により、前記リモートコントローラから出力される光による前記電源オン指示信号に基づいて、前記画像投影装置を電源オンにする制御を行う制御部とを有することを特徴としている。
【発明の効果】
【００１３】
本発明に係る画像投影装置によれば、投影側の第１の光信号入力部への光による電源オン指示信号が無効に設定されている場合に、リモートコントローラで非投影側の第２の光信号入力部へ光による電源オン指示信号を出力したときに、仮に投影側の第１の光信号入力部にも光による電源オン指示信号が入力された場合、非投影側の第２の光信号入力部に入力される光による電源オン指示信号に基づいて電源をオンにすることができる。
【図面の簡単な説明】
【００１４】
【図１】実施形態に係る画像投影装置の一例としての投影型のプロジェクタの外観を示す斜視図。
【図２】実施形態に係るプロジェクタの概略構成を示すブロック図。
【図３】リモコンからの赤外線送信によって電源部をオン（電源オン）してプロジェクタを起動させるときの動作を示すフローチャート。
【図４】プロジェクタの背面側から第２リモコン受光部側に向けて出力した赤外線のスクリーンからの反射光が、第１リモコン受光部に受光される状態を示す図。
【発明を実施するための形態】
【００１５】
以下、本発明を図示の実施形態に基づいて説明する。図１は、本実施形態に係る画像投影装置の一例としての投影型のプロジェクタの外観を示す斜視図、図２は、このプロジェクタの概略構成を示すブロック図である。
【００１６】
図１に示すように本実施形態に係るプロジェクタ１は、ケース本体２の前面側に、投影レンズ３とリモートコントローラ（以下、「リモコン」という）４からの赤外線（赤外光）を受光する第１リモコン受光部（第１の光信号入力部）５を有しており、ケース本体２の背面側に第２リモコン受光部（第２の光信号入力部）６を有している。
【００１７】
図２に示すように、このプロジェクタ１のケース本体２には、前記第１、第２リモコン受光部５，６、システム制御部１０、記憶部１１、外部接続部１２、操作部１３、ファン制御部１４、ファン１５、リモコン判定部１６、電源部１７、投影部１８、及びレンズシャッタ１９等を備えている。第１リモコン受光部５は、ケース本体２の前面側（画像光投影側）に位置し、第２リモコン受光部６は、ケース本体２の背面側（非投影側）に位置している。
【００１８】
システム制御部１０は、例えば、ＣＰＵ（Central Processing Unit）とその周辺回路等を含み、例えば、記憶部１１等に記憶されたプログラムを実行することにより、プロジェクタ１全体の制御を行う。記憶部１１は、例えば、ＲＡＭ（Random Access Memory）、フラッシュＲＯＭ（Read Only Memory）、及び／又はストレージ等を含む。記憶部１１は、プロジェクタ１の各種プログラムや、ユーザへの案内情報を含む投影する画像データ、及び各種設定データ等を記憶する。
【００１９】
外部接続部１２は、接続される外部機器からの映像（画像）信号、例えば、パーソナルコンピュータ（パソコン）からの画像出力信号、映像機器等からのＨＤＭＩ（登録商標）信号、ビデオ信号、又は、ネットワーク機器からの画像信号等を入力するためのインタフェースである。
【００２０】
操作部１３は、各種情報を表示するとともに、プロジェクタ１の設定や操作等を行う表示入力手段である。また、操作部１３は、ユーザによる入力操作によって、いわゆるチャイルドロック機能の有効／無効の切り替えを任意に設定できる。ユーザによる操作部１３での入力操作によってチャイルドロック機能が有効になっている場合、ケース本体２の電源スイッチ７（図１参照）を所定時間（数秒間程度）だけ押圧状態を保持しないと電源部１７がオン（電源オン）されず、更に、リモコン４から第１リモコン受光部５へ赤外線による電源オン信号が入力されても電源部１７がオン（電源オン）されないように設定されている。チャイルドロック機能の有効／無効の設定情報は、記憶部１１に記憶される。
【００２１】
なお、チャイルドロック機能が有効になっている場合でも、リモコン４から第２リモコン受光部６へ赤外線による電源オン信号が入力されたときは、ユーザがケース本体２の背面側にいて、前面側の投影レンズ３から出射される画像光がユーザの目に直接入射するおそれがないため、電源部１７が通常どおりオン（電源オン）されるように設定されている。
【００２２】
ファン制御部１４は、投影部１８の光源２０やケース本体２内の温度が所定の温度となるように、ファン１５の回転を制御する。
【００２３】
第１、第２リモコン受光部５，６は、リモコン４からの赤外線（光）による信号を受信し、遠隔操作を受け付ける。
【００２４】
リモコン判定部１６は、リモコン４から出力された赤外線が第１リモコン受光部５又は／及び第２リモコン受光部６に受光（入力）されたかを判定し、更に、第１、第２リモコン受光部５，６の両方がリモコン４から出力された赤外線を受光（入力）したときは、どちら側の赤外線強度が大きいかを判定する（詳細は後述する）。
【００２５】
投影部１８は、例えば、光源２０、光源制御部２１、カラーホイール２２、回転検出部２３、ＣＷ（カラーホイール）制御部２４、ＤＭＤ（Digital Mirror Device）２５、ＤＭＤ制御部２６、及び前記投影レンズ３等を有している。
【００２６】
光源２０は、ランプやＬＥＤ（Light Emitting Diode）又は半導体レーザー等の固体光源等の画像投影用の光源である。光源制御部２１は、光源２０の明るさや、点灯／消灯の制御等を行う。
【００２７】
カラーホイール２２は、例えば、赤、青、緑（ＲＧＢ）の３色に色分けされた円板等を高速で回転させ、光源２０からの光を透過させることにより色づけを行う。回転検出部２３は、カラーホイール２２の回転状態を検出する。ＣＷ制御部２４は、カラーホイール２２の回転を制御する。
【００２８】
ＤＭＤ２５は、多数の微小鏡面（マイクロミラー）を平面に配置した表示素子である。ＤＭＤ制御部２６は、ＤＭＤ２５のマイクロミラーをオン／オフ制御する。なお、ＤＭＤ２５及びカラーホイール２２は、画像投影用の表示素子の一例であり、例えば、ＬＣＤ（Liquid Crystal Display）等の他の表示素子であってもよい。
【００２９】
上記構成のプロジェクタ１は、電源部１７がオンされてプロジェクタ１が起動されると、光源２０から出射された光は回転するカラーホイール２２でＲＧＢの各色の光に変換され、複数のミラー、光学系等を介して表示素子としてのＤＭＤ２５に入射される。そして、ＤＭＤ２５は、各色（ＲＧＢ）の光の入射タイミングに同期して、投影像の画像データに基づいて複数の微小ミラーを駆動制御することで、外部接続部１２に接続された例えば、パソコンからの画像出力信号（投影画像信号）に応じた投影像（画像光）が、投影レンズ３を通して前方の被投影面としてのスクリーン８に拡大投影される。
【００３０】
なお、このプロジェクタ１の投影レンズ３の前側には、電動モータによって開閉駆動されるレンズシャッタ１９が設けられており、電源オンに連動してレンズシャッタ１９が開き、電源部１７の電源オフに連動してレンズシャッタ１９を閉じることができる。レンズシャッタ１９が閉じているときは、投影レンズ３の前面側を遮蔽してレンズ面を保護し、レンズシャッタ１９が開いているときは、投影レンズ３の前面側を開放して投影像をスクリーン８に投影させることができる。なお、投影像（画像光）をスクリーン８に投影中にレンズシャッタ１９を閉じて、一時的に投影像を遮蔽することもできる。
【００３１】
次に、ユーザがリモコン４を操作し、リモコン４からの赤外線送信によって電源部１７をオン（電源オン）してプロジェクタ１を起動させるときの動作を、図３に示すフローチャートを参照して説明する。なお、本実施形態のプロジェクタ１は、電源部１７がオフ（電源オフ）されていても、リモコン４からの赤外線通信を受け付ける程度の待機電力が流れている。リモコン４には、電源スイッチの他にも、各種の操作スイッチが設けられている。
【００３２】
この場合、本実施形態では、図４に示すように、ユーザはプロジェクタ１（ケース本体２）の背面側（投影レンズ３と反対側（非投影側））に位置して、背面側の第２リモコン受光部６側に向けてリモコン４から赤外線（電源オン指示信号）を出力するものとする。これは、プロジェクタ１の投影レンズ３から投影像（画像光）をスクリーン８に投影する場合、ユーザはプロジェクタ１の背面側（投影レンズ３と反対側）からスクリーン８上の投影像（画像光）を見ながら、リモコン４を操作する使い方が一般的なためである。
【００３３】
ユーザがリモコン４のスイッチを操作して、リモコン４から電源オン指示信号に対応した赤外線を、プロジェクタ１の背面側から第２リモコン受光部６側に向けて出力する（ステップＳ１）。
【００３４】
次に、リモコン判定部１６は、背面側の第２リモコン受光部６に赤外線（電源オン指示信号）が受光されたか否かを判定する（ステップＳ２）。
【００３５】
次に、第２リモコン受光部６に赤外線（電源オン指示信号）が受光されていると判定した場合（ステップＳ２：ＹＥＳ）、次に第１リモコン受光部５側にもリモコン４からの赤外線（電源オン指示信号）が受光されているか否かを判定する（ステップＳ３）。なお、ステップＳ２において、第２リモコン受光部６に赤外線（電源オン指示信号）が受光されていないと判定する場合（ステップＳ２：ＮＯ）として、例えば、リモコン４と第２リモコン受光部６との間に何か赤外線を遮る遮蔽体が一時的に位置していることなどが考えられる。
【００３６】
図４に示したように、リモコン４から電源オン指示信号に対応した赤外線を、プロジェクタ１の背面側から第２リモコン受光部６側に向けて出力したときに、リモコン４が第２リモコン受光部６からある程度離れていると、リモコン４から出力された赤外線が少し広がって一部が前方のスクリーン８に到達し、スクリーン８からの反射光（赤外線）Ａの一部が前面側の第１リモコン受光部５に受光されることがある。
【００３７】
スクリーン８は、一般に白色で、かつ表面の平坦性も良好なので、スクリーン８に入射する赤外線等の光を効果的に反射することができる。なお、リモコン４が第２リモコン受光部６近傍に位置している場合は、リモコン４から出力された赤外線は広がることなく殆どが第２リモコン受光部６に受光され、スクリーン８側に漏れることは殆どない。
【００３８】
ステップＳ３で、第１リモコン受光部５側にも赤外線（電源オン指示信号）が受光されていると判定した場合（ステップＳ３：ＹＥＳ）、次にリモコン判定部１６は、ステップＳ２において第２リモコン受光部６で受光した赤外線の強度と、ステップＳ３において第１リモコン受光部５で受光した赤外線の強度とを比較する（ステップＳ４）。
【００３９】
ステップＳ４で、第２リモコン受光部６で受光した赤外線の強度が、第１リモコン受光部５で受光した赤外線の強度よりも高いと判定した場合（ステップＳ４：ＹＥＳ）、プロジェクタ１の背面側に位置するリモコン４から第２リモコン受光部６側に向けて赤外線（電源オン指示信号）を出力していると判定する。通常は、第２リモコン受光部６はリモコン４からの赤外線を直接受光するので赤外線強度が高く、第１リモコン受光部５はスクリーン８で一旦反射した赤外線を受光するので赤外線強度は低くなる。
【００４０】
リモコン判定部１６での赤外線強度の測定は、第１、第２リモコン受光部５，６の受光素子（赤外線フォトトランジスタなど）からの出力電流値に基づいて行うことができる。
【００４１】
そして、システム制御部１０は、リモコン判定部１６から入力されるこの判定（ステップＳ４：ＹＥＳ）情報に基づいて、電源部１７をオン（電源オン）する（ステップＳ５）。
【００４２】
ステップＳ５で電源部１７がオン（電源オン）されることによって、システム制御部１０は、プロジェクタ１を起動させるための制御を行う（ステップＳ６）。電源オンによってプロジェクタ１が起動されると、投影部１８の光源２０の点灯動作、ファン１５の回転動作、レンズシャッタ１９の開動作などの投影像（画像光）を投影させるための投影開始動作が実行される。
【００４３】
なお、ステップＳ３において、例えばリモコン４が第２リモコン受光部６近傍に位置して、第１リモコン受光部５側に赤外線（電源オン指示信号）が受光されていないと判定した場合（ステップＳ３：ＮＯ）、即ち、第２リモコン受光部６側のみに赤外線（電源オン指示信号）が受光されていると判定し、仮にチャイルドロック機能が有効になっていても、システム制御部１０は電源部１７をオン（電源オン）する。
【００４４】
また、ステップＳ４において、何らかの要因（例えば、第１、第２リモコン受光部５，６の受光感度の不良など）で、第２リモコン受光部６で受光した赤外線の強度が、第１リモコン受光部５で受光した赤外線の強度よりも低いと判定した場合（ステップＳ４：ＮＯ）、システム制御部１０は、記憶部１１から読み出したチャイルドロック機能の設定情報に基づいて、チャイルドロック機能が有効になっているか無効になっているかを確認する（ステップＳ７）。
【００４５】
ステップＳ７において、チャイルドロック機能が無効になっていると確認した場合（ステップＳ７：ＮＯ）、電源部１７をオン（電源オン）する（ステップＳ５）。一方、ステップＳ７において、チャイルドロック機能が有効になっていると確認した場合（ステップＳ７：ＹＥＳ）、第１リモコン受光部５に受光された赤外線（電源オン指示信号）を無効にし、電源部１７をオンにしない。
【００４６】
このように、ユーザがリモコン４のスイッチを操作して、リモコン４から電源オン指示信号に対応した赤外線（電源オン指示信号）を、プロジェクタ１の背面側から第２リモコン受光部６側に向けて出力したときに、一部の赤外線がスクリーン８に入射してその反射光の一部が前面側の第１リモコン受光部５に受光された場合でも、赤外線強度の測定によって、第２リモコン受光部６側にのみ赤外線が受光されたと判定することができる。
【００４７】
これにより、チャイルドロック機能が有効になっていて、ユーザがプロジェクタ１の背面側（非投影側）からリモコン４を操作した場合に、プロジェクタ１の背面側から第２リモコン受光部６側に向けて出力した赤外線（電源オン指示信号）のスクリーン８からの反射光が第１リモコン受光部５に受光されても、第２リモコン受光部６側のみに赤外線が受光されたと判定して、プロジェクタ１を電源オンにすることができる。
【００４８】
なお、ユーザがプロジェクタ１の前面側（投影側）からリモコン４のスイッチを操作する場合には、出力された赤外線（電源オン指示信号）が第１リモコン受光部５側に受光される。このときに、チャイルドロック機能が有効に設定されているときは、リモコン４から第１リモコン受光部５に赤外線（電源オン指示信号）が受光されても、プロジェクタ１が電源オンされることはない。
【符号の説明】
【００４９】
１        プロジェクタ
２        ケース本体
３        投影レンズ
４        リモコン
５        第１リモコン受光部
６        第２リモコン受光部
７        電源スイッチ
８        スクリーン
１０      システム制御部
１６      リモコン判定部
１７      電源部
１８      投影部
２０      光源
【先行技術文献】
【特許文献】
【００５０】
【特許文献１】特許第５５３２２２２号公報
【図１】
2017026758.tif 000003
【図２】
2017026758.tif 000004
【図３】
2017026758.tif 000005
【図４】
2017026758.tif 000006